(57)【特許請求の範囲】
【請求項１】
上下に延びるバースクリーンを一対のフレーム間に支持し、掻き上げ片を前記バースクリーンの前面に沿って走行自在に配置した除塵機本体と、
前記除塵機本体の上端に取り付けられた前記除塵機本体を吊す吊り具と、
前記フレームの上部外側に設けられた一対の支持脚と、
前記除塵機本体が取り付けられる水路の側壁の内面から前記水路の中に突出するように取り付けられた支持部材とを備え、
前記除塵機本体は、前記一対の支持脚が前記水路の前記側壁に支持され、前記フレームが前記水路の中に突出するように取り付けられた支持部材に支持され、前記吊り具により吊り上げて前記水路から引揚げられ、前記吊り具により降下して前記水路に設置され、前記水路に着脱自在に設置されていることを特徴とする除塵装置。
【請求項２】
前記支持部材は、前記水路の両側壁に取り付けられたことを特徴とする請求項１に記載の除塵装置。
【請求項３】
前記支持部材は、前方の支持部材と後方の支持部材とからなることを特徴とする請求項２に記載の除塵装置。
【請求項４】
前記除塵機本体は、水路内において上方が下流側に傾斜するように設置され、前記後方の支持部材は、前記除塵機本体の傾斜に沿って傾斜する支持面を有することを特徴とする請求項３に記載の除塵装置。
【請求項５】
前記支持部材は、断面が中空、Ｌ形、Ｈ形または溝形の部材で形成されていることを特徴とする請求項１に記載の除塵装置。
【発明の詳細な説明】
【０００１】
【発明の属する技術分野】
本発明は、水路中に設けたバースクリーンの前面に沿ってレーキなどのごみ類掻き上げ片を走行させることにより、バースクリーンで捕捉したごみや粗大な固形物を機械的に除去するようにした除塵装置に関する。
【０００２】
【従来の技術】
例えば、流水を取水するポンプ機場では粗大な塵芥を捕捉してポンプを保護する必要があり、そのため吸込水路にバースクリーンと循環昇降式レーキとを備えた除塵装置を設け、バースクリーンに流着した塵芥をレーキにより連続的に掻き上げて除去することが行われている。
【０００３】
ところで、農業用水、都市排水、河川取水などでは、用水、排水、取水に共通のポンプを用い、その目的に応じて該ポンプの吸込・吐出方向を随時切替えて水路の水流方向を変えるようにしている場合がある。この場合、ポンプ機場の前後の水路に除塵装置を設けるので、ポンプの吐出側の水路に位置する除塵装置には、その背面より前面に向かって水が流れる。従って、バースクリーンの背面に塵芥が流着することになって除塵装置が有効に機能しなくなり、バースクリーンに流着した塵芥が流水の障害となって水路損失を起こしてしまう。
【０００４】
このため、背面より前面に向かって水が流れる側の除塵機を引揚げるために、除塵機の上端部を水面上で揺動自在に支持し、水面上に引揚げた時にこの下端部をロックするようにしたもの、或いは、除塵機を、水路に設置された主スクリーン（バースクリーン）の塵芥類捕捉面に沿う方向に昇降できるようにして、除塵機全体を前衛スクリーンと一体に水面上に引き揚げるようにしたもの等が提案されている。
【０００５】
【発明が解決しようとする課題】
しかしながら、上記従来の除塵装置にあっては、設備的に大掛かりなものとなって、常設するには費用がかかり過ぎるという問題があった。なお、可搬式ポンプを設置するようにした排水ポンプ施設や小規模排水機場では、価格的に安価な手掻きのスクリーンを備えることも考えられるが、手掻きのスクリーンのみでは塵芥を掻き上げ切れないという問題もあった。
【０００６】
本発明は上記に鑑み、必要な水路に必要な時に設置することができて、より経済的に用水・排水機能を満足させることができる除塵装置を提供することを目的とする。
【０００７】
【課題を解決するための手段】
本発明の除塵装置は、上下に延びるバースクリーンを一対のフレーム間に支持し、掻き上げ片を前記バースクリーンの前面に沿って走行自在に配置した除塵機本体と、前記除塵機本体の上端に取り付けられた前記除塵機本体を吊す吊り具と、前記フレームの上部外側に設けられた一対の支持脚と、前記除塵機本体が取り付けられる水路の側壁の内面から前記水路の中に突出するように取り付けられた支持部材とを備え、前記除塵機本体は、前記一対の支持脚が前記水路の前記側壁に支持され、前記フレームが前記水路の中に突出するように取り付けられた支持部材に支持され、前記吊り具により吊り上げて前記水路から引揚げられ、前記吊り具により降下して前記水路に設置され、前記水路に着脱自在に設置されていることを特徴とするものである。
【０００８】
これにより、除塵機本体を水路内及び水路外の２つの支持機構により安定に支持して円滑な除塵作業を行なうとともに、トラックレーンやホイストクレーン等による設置と除去が容易に行われる。
【０００９】
また、本発明では、除塵機本体は、水路内において上方が下流側に傾斜するように設置され、後方の支持部材は、除塵機本体の傾斜に沿って傾斜する支持面を有することを特徴とする。これにより、該支持面による安定な支持が行われるとともに、該支持面を案内面として本体を昇降させることで、出し入れ作業が安定に行われる。このような支持面は、除塵機本体の後方のみでよく、前方側は支持しないか、がたつきを防止する程度の支持作用を持たせればよい。
【００１０】
また、本発明では、前方の支持部材と後方の支持部材は、水路の両側壁に取り付けられたことを特徴とする。このような支持部材は、通常、コンクリート等で固めた水路壁に埋め込む形で設置され、所定の強度、耐食性を持つ素材で形成する。
【００１１】
また、本発明では、支持部材は、断面が中空、Ｌ形、Ｈ形または溝形の部材で形成されていることを特徴とする。これにより、軽量でかつ強度を持たせる構造とすることができる。
【００１２】
【発明の実施の形態】
以下、本発明の実施の形態の除塵装置を、図１ないし図４を参照して説明する。この除塵装置は、除塵機本体１０が水路４０に形成された支持機構により支持されて取り付けられている。除塵機本体１０は、左右両側の一対のフレーム１２の間に横方向に掛け渡された支持梁１４と、この支持梁１４に支持された縦方向に延びる複数の主スクリーン（バースクリーン）１６と、主スクリーン１６の前面に沿って巡回走行自在に配置されたレーキ（掻き上げ片）１８とを有している。除塵機本体１０のフレーム１２等の主要部品は、軽量、低振動、耐食性の高いエラストマによって形成するが、鋼材等であってもよい。
【００１３】
図３に示すように、レーキ１８には主スクリーン１６の間に突出する複数のレーキ爪１８ａが形成され、レーキ１４の両端は、フレーム１２の凹部１２ａ及びエプロン２０内を走行するレーキチェーン２２のガイドローラ２４に固着されている。レーキチェーン２２は、フレーム１２の頂部に設置した駆動装置２６の駆動軸２８の両端に取付けたレーキ鎖車３０に掛け渡されて走行する。駆動装置２６は減速機とモータを有し、また、駆動軸２８の位置を調節してレーキチェーン２２の張力を調節するテークアップユニット３４を有している。
【００１４】
除塵機本体１０は、水路４０を構成する側壁４６に、上下２つの支持機構Ｓ1，Ｓ2で支持されている。第１の支持機構Ｓ1は、フレーム１２の上部外側に設けられた一対の支持脚３２であり、これはその下端面３２ａを水路４０を構成する側壁４６の頂面４４に当接させてフレーム１２を支持している。第２の支持機構Ｓ2は、側壁の内面に設けられた前後の支持部材５０，５２により構成されている。
【００１５】
前方の支持部材５０は、側壁４６の内面から水路４０の中に突出するように取り付けられ、後方の支持部材５２は、除塵機本体１０のフレームの方向に沿って延びるように側壁４６の内面に取り付けられている。これらの支持部材５０，５２は、図２に示すように、除塵機本体１０を支持脚３２の下面が側壁４６の上面４４に当接するように設置したときに、フレーム１２の前面及び後面がこれらの支持部材５０，５２に接するように配置されている。除塵機本体１０は主に後方の支持部材５２により支持され、前方の支持部材５０は主にがたつきを防止する程度の作用を行なう。
【００１６】
支持部材５０，５２は、強度、耐食性等を考慮して、鋼等の適宜の素材から形成され、この実施の形態では、いずれの支持部材５０，５２も中空状の部材から構成されているが、 断面がＬ形、Ｈ形、溝形等、任意の形状のもので形成しても良い。なお、水路４０の底面４２には、前衛スクリーン（バースクリーン）４８が除塵機本体１０の主スクリーン１６の前面（上流側）に位置するように固定されている。
【００１７】
次に、上記のように構成された除塵装置の作用について説明する。除塵機本体１０を水路４０に設置する時は、トラッククレーンやホイストクレーン等を用いてチェーン等の吊り具５４（図１参照）により除塵機本体１０を吊し、各フレーム１２の下端を支持部材５０，５２の間に差し込むように降下させる。さらに、支持部材５０，５２を案内として除塵機本体１０を支持脚３２の下面３２ａが側壁４６の頂面４４と当接するまで降下させる。これによって、除塵機本体１０が主に支持脚３２と後方の支持部材５２により支持され、また前方の支持部材５０により前方への変位を抑えられて安定に固定される。
【００１８】
除塵機本体１０が固定されると、水路４０内を矢印Ｃ方向に流れる水中のごみ類は、主スクリーン１６、前衛スクリーン４８によって捕捉される。この状態で駆動装置２６を駆動すると、回転動力が駆動軸２８を介してレーキ鎖車３０に伝達され、レーキチェーン２２が図２における矢印Ｂ方向に循環走行する。これにより、主スクリーン１６で捕捉されたごみ類は、レーキ１８によって掻き上げられて上方に搬送され、エプロン２０を過ぎて反転点で図示しない搬出装置に排出される。
【００１９】
除塵機本体１０を引揚げる時には、駆動装置２６を停止させた後、除塵機本体１０の上端に吊り具５４を取付け、この吊り具５４にトラッククレーンやホイストクレーン等のフックを引っ掛けて、図１の矢印Ｄの方向に吊り上げる。これにより、除塵機本体１０の各フレーム１２を水路４０の側壁４６に固着したガイドパイプ５０，５２に沿ってスライドさせて除塵機本体１０を上方へ引揚げる。
【００２０】
この実施の形態によれば、除塵機本体１０は支持部材５０，５２によって水流中に安定に支持され、円滑に除塵作用が行われるとともに、水路４０への着脱が容易となって、同じ水路幅の水路どうしでの共用を容易に行なうことができる。従って、排水ポンプ等のスクリーン設備として広く採用することができる。この場合、水深が異なる水路間で共用することは、２つの支持機構Ｓ1，Ｓ2による支持位置を適当に設定すれば容易に可能である。
【００２１】
【発明の効果】
以上説明したように、本発明によれば、水路側壁に固着した支持部材によって除塵機本体の着脱を容易にしつつ除塵機本体を安定に支持し、これにより、必要な水路に、必要な時に設置するようにしてその設置台数を節約して低コスト化を図ることができる。
【図面の簡単な説明】
【図１】本発明の実施の形態の除塵装置を示す全体正面図である。
【図２】同じく、全体縦断面図である。
【図３】図２のＡ−Ａ線に沿った要部断面図である。
【図４】同じく、支持部材を水路の側壁に固着した状態を示す斜視図である。
【符号の説明】
１０  除塵機本体
１２  フレーム
１６  主スクリーン（バースクリーン）
１８  レーキ
２２  レーキチェーン
２４  ガイドローラ
２６  駆動装置
３０  レーキ鎖車
３２  支持脚
４０  水路
４２  水路底面
４６  水路側壁
４８  前衛スクリーン（バースクリーン）
５０，５２  支持部材
Ｓ1，Ｓ2    支持機構
【図１】
0003862368.tif 000002
【図２】
0003862368.tif 000003
【図３】
0003862368.tif 000004
【図４】
0003862368.tif 000005